(57)【特許請求の範囲】
【請求項１】
カム軸と、該カム軸の一方側に設けられ、投入ばねの駆動力を遮断ばね及び開閉器の接点に伝達するカムと、前記カム軸に電動機の駆動力を伝達すると共に、該カム軸の他方側に設けられ、かつ、前記投入ばねの駆動力が伝達される主ギアとを備え、前記カム軸は、前記カムと前記主ギア間で一つの軸受装置によってブラケットに支持されていることを特徴とする開閉器用操作器。
【請求項２】
カム軸及び主軸と、前記カム軸の一方側に設けられたカムと、電動機の駆動力を前記カム軸に伝達すると共に、前記カム軸の他方側に設けられ、かつ投入ばねの駆動力が伝達される主ギアと、前記カムの荷重が伝達されると共に、前記主軸の一方側に設けられ、かつ前記投入ばねの駆動力を遮断ばねに伝達する主レバーと、前記投入ばねの駆動力を緩衝装置に伝達すると共に、前記主軸の他方側に設けられた緩衝レバー或いは前記投入ばねの駆動力を開閉器の接点に伝達すると共に、前記主軸の他方側に設けられた接点レバーとを備え、前記カム軸は、前記カムと前記主ギア間で一つの軸受装置によってブラケットに支持され、前記主軸は、前記主レバーと前記緩衝レバー或いは前記接点レバー間で一つの軸受装置によってブラケットに支持されていることを特徴とする開閉器用操作器。
【請求項３】
請求項２に記載の開閉器用操作器において、前記軸受装置は、前記ブラケットの直立部に対して直交するように前記直立部から突出した突出部に配置されていることを特徴とする開閉器用操作器。
【請求項４】
カム軸及び主軸と、前記カム軸の一方側に設けられたカムと、電動機の駆動力を前記カム軸に伝達すると共に、前記カム軸の他方側に設けられ、かつ投入ばねの駆動力が伝達される第１ギアと、前記カムの該第１ギア側とは反対側の前記カム軸に設けられると共に、投入ばねの駆動力が伝達される第２ギアと、前記カムの荷重が伝達されると共に、前記主軸の一方側に設けられ、かつ前記投入ばねの駆動力を遮断ばねに伝達する主レバーと、前記投入ばねの駆動力を緩衝装置に伝達すると共に、前記主軸の他方側に設けられた緩衝レバーと、前記投入ばねの駆動力を開閉器の接点に伝達すると共に、前記緩衝レバーの前記主レバー側とは反対側の前記主軸に設けられた接点レバーとを備え、前記カム軸は、前記カムと前記主ギア間で一つの軸受装置によってブラケットに支持され、前記主軸は、前記主レバーと前記緩衝レバー間で一つの軸受装置によってブラケットに支持されると共に、前記カム軸を支持する軸受装置と前記主軸を支持する軸受装置は、前記ブラケットの直立部に対して直交するように前記直立部から突出した突出部に設けられていることを特徴とする開閉器用操作器。
【発明の詳細な説明】
【０００１】
【発明の属する技術分野】
本発明は開閉器用操作器に係り、特に変電所や開閉所などの電気所に設置される遮断器などに好適な開閉器用操作器に関する。
【０００２】
【従来の技術】
従来の開閉器の操作器としては、例えば特開昭62−200628号公報に記載されているものが知られている。この公報に記載された操作器は、ばねの駆動力を利用して開閉器の接点を開閉させるものであり、投入ばねの駆動力が、複数個の軸受装置によって支持された軸に設けられたカム、このカムの荷重が伝達される主レバーを有する機構を介して開閉器の接点に伝達するように構成されている。
【０００３】
【発明が解決しようとする課題】
しかしながら、上述のような従来の操作器では、カム及び主レバーを有する伝達機構が、軸を支持する複数個の軸受装置間に配置されているので、構成部品数が多くかつ構成が複雑になり、大型化する。また、軸受装置間に配置された伝達機構に外部からアクセスし難く、操作器の保守，点検の作業性が悪いと共に、操作器の保守，点検作業に多大な作業時間が必要となる。
【０００４】
本発明の目的は、操作器の保守，点検の作業性が向上すると共に、操作器の構成を簡素化して小型化を図った開閉器用操作器を提供することにある。
【０００５】
【課題を解決するための手段】
本発明の開閉器用操作器は、上記目的を達成するために、カム軸と、該カム軸の一方側に設けられ、投入ばねの駆動力を遮断ばね及び開閉器の接点に伝達するカムと、前記カム軸に電動機の駆動力を伝達すると共に、該カム軸の他方側に設けられ、かつ、前記投入ばねの駆動力が伝達される主ギアとを備え、前記カム軸は、前記カムと前記主ギア間で一つの軸受装置によってブラケットに支持されていることを特徴とする。
【０００６】
また、本発明の開閉器用操作器は、上記目的を達成するために、カム軸及び主軸と、前記カム軸の一方側に設けられたカムと、電動機の駆動力を前記カム軸に伝達すると共に、前記カム軸の他方側に設けられ、かつ投入ばねの駆動力が伝達される主ギアと、前記カムの荷重が伝達されると共に、前記主軸の一方側に設けられ、かつ前記投入ばねの駆動力を遮断ばねに伝達する主レバーと、前記投入ばねの駆動力を緩衝装置に伝達すると共に、前記主軸の他方側に設けられた緩衝レバー或いは前記投入ばねの駆動力を開閉器の接点に伝達すると共に、前記主軸の他方側に設けられた接点レバーとを備え、前記カム軸は、前記カムと前記主ギア間で一つの軸受装置によってブラケットに支持され、前記主軸は、前記主レバーと前記緩衝レバー或いは前記接点レバー間で一つの軸受装置によってブラケットに支持されていることを特徴とする。
【０００７】
【発明の実施の形態】
以下、本発明の実施例を図１〜図６に基づいて説明する。
【０００８】
図６は、本実施例の操作器を適用した遮断器の外観構成を示す。遮断器１００は、変電所や開閉所などの電気所に設置される開閉装置であり、絶縁性ガス、例えばＳＦ6(六弗化硫黄）ガスが封入された円筒形のタンク１１０に可動接触子及び固定接触子からなる電気的な接点（図示省略）を収納している。電気的な接点は、タンク１１０の左下側の操作箱１２０に収納された操作器とリンク機構を介して機械的に接続され、操作される。
【０００９】
タンク１１０は金属製の密閉容器であり、横置き、すなわちその中心軸が地面に対して平行となるように設置された接地容器である。タンク１１０の周壁の上部にはブッシング１３０，１４０が設けられている。電力は上流側の系統からブッシング１３０を介して引込まれ、電気的な接点を介してブッシング１４０に送られ、ブッシング１４０を介して下流側の系統に引出される。系統に事故などが起きた場合は電気的な接点が開離し、上流側の系統から下流側の系統への電力供給を遮断する。
【００１０】
図１〜図３は、操作箱１２０に収納された操作器の構成を示す。尚、図１及び図２では、図３に示されている接点レバーが省略されている。１はブラケットであり、軸受装置２，３を支持する支持体である。軸受装置２，３は、ブラケット１の直立部１ａに対して直交するように直立部１ａから左右両方向に突出した突出部１ｂ，１ｃに設けられている。突出部１ｂ，１ｃは筒状に形成されており、突出部１ｂの円筒内面の両端部には軸受装置２の軸受２ａ，２ｂが設けられ、突出部１ｃの円筒内面の両端部には軸受装置３の軸受３ａ，３ｂが設けられている。
【００１１】
４はカム軸であり、軸受装置２によって回転自在に支持されている。５は主軸であり、軸受装置３によって回転自在に支持している。カム軸４の一方側（軸受２ａ側）にはカム６が設けられ、その他方側（軸受２ｂ側）には主ギア７が設けられている。また、カム軸４の一方側、かつカム６の軸受２ａ側とは反対側には投入レバー８が設けられている。主ギア７にはギア９，１０を介して電動機１１の駆動力が伝達される。主ギア７及び投入レバー８にはピンを介して投入ばねリンク１２が連結されている。投入ばねリンク１２には投入ばね１３が設けられている。カム軸４は、投入ばねリンク１２を介して主ギア７及び投入レバー８に伝達された投入ばね１３の駆動力によって回転し、カム６を回転させる。カム６は投入ばね１３の駆動力を主軸５側に伝達する。
【００１２】
主軸５の一方側（軸受３ａ側）には主レバー１４が設けられ、その他方側（軸受３ｂ側）には緩衝レバー１５が設けられている。また、主軸５の他方側、かつ緩衝レバー１５の軸受３ｂ側とは反対側には接点レバー１６が設けられている。主レバー１４には、カム６の外周面と接触し、カム６の荷重が伝達されるローラー１７がピンによって連結されている。また、主レバー１４にはピンによって遮断ばねリンク１８が連結されている。遮断ばねリンク１８には遮断ばね１９が設けられている。緩衝レバー１５にはピンによって緩衝リンク２０が連結されている。緩衝リンク２０には緩衝装置２１のダンパー２２が連結されている。接点レバー１６には、遮断器１００の電気的な接点２３に連結されたリンク機構の構成部品である接点リンク２４がピンによって連結されている。
【００１３】
また、操作器には、遮断器１００の電気的な接点２３の投入指令に基づいて投入ばね１３の蓄勢状態を解除する閉路操作機構２５と、遮断器１００の電気的な接点２３の開放指令に基づいて遮断ばね１９の蓄勢状態を解除する開路操作機構２６を備えている。閉路操作機構２５は、プランジャーと呼ばれる構成部品を備えた閉路用ソレノイド２７，閉路用フック２８，閉路用レバー２９によって構成されている。開路操作機構２６は、プランジャーと呼ばれる構成部品を備えた開路用ソレノイド３０，開路用フック３１，開路用レバー３２，３３によって構成されている。
【００１４】
次に、本実施例の操作器の動作を図４及び図５に基づいて説明する。図４は投入動作を示す。ここで、投入ばね１３は蓄勢状態、遮断ばね１９は放勢状態、遮断器１００の電気的な接点２３は開路位置にある。遮断器１００の電気的な接点２３の投入指令に基づいて閉路用ソレノイド２７が励磁されると、閉路用ソレノイド２７内部のプランジャーが矢印Ａの方向に動作して閉路用フック２８が押される。閉路用フック２８は、黒点で示した部分を回転軸として矢印Ｂの方向に動作し、閉路用レバー２９との係合を解除する。閉路用レバー２９は、黒点で示した部分を回転軸として矢印Ｃの方向に動作し、カム６との結合を解除する。これにより、投入ばね１３が開放され、投入ばねリンク１２が矢印Ｅの方向に動作すると共に、カム６がカム軸４を回転軸として矢印Ｄの方向に動作する。これにより、カム６の外周面に接触するローラー１７によって主軸５を回転軸とする主レバー１４が矢印Ｆの方向に動作する。主レバー１４の動作により主軸５が回転すると、接点レバー２４が動作し、リンク機構を介して連結された遮断器１００の電気的な接点２３が投入される。これと同時に、遮断ばねリンク１８が矢印Ｇの方向に動作され、遮断ばね１９が蓄勢される。これにより、投入ばね１３は放勢状態、遮断ばね１９は蓄勢状態、遮断器１００の電気的な接点２３は閉路位置となる。
【００１５】
この後、電動機１１が動作し、電動機１１の駆動力がギア９，１０を介して主ギア７に伝達される。これにより、主ギア７と共にカム軸４、このカム軸４に設けられた投入レバー８が回転し、この回転によって投入ばねリンク１２が矢印Ｈの方向に動作し、投入ばね１３が圧縮される。この後、電動機１１の電源が切られ、投入ばね１３は蓄勢状態を維持する。
【００１６】
図５は開離動作を示す。ここで、投入ばね１３は放勢状態、遮断ばね１９は蓄勢状態、遮断器１００の電気的な接点２３は閉路位置にある。遮断器１００の電気的な接点２３の開放指令に基づいて開路用ソレノイド３０が励磁されると、開路用ソレノイド３０のプランジャー矢印Ａの方向に動作して開路用フック３１が押される。閉路用フック３１は、黒点で示した部分を回転軸として矢印Ｂの方向に動作し、開路用レバー３２との係合を解除する。閉路用レバー３２は、黒点で示した部分を回転軸として矢印Ｃの方向に動作し、閉路用レバー３３との結合を解除する。閉路用レバー３３は、黒点で示した部分を回転軸として矢印Ｄの方向に動作し、主レバー１４との結合を解除する。これにより、遮断ばね１９が開放され、遮断ばねリンク１８が矢印Ｅの方向に動作すると共に、主レバー１４が主軸５を回転軸として矢印Ｆの方向に動作する。これにより、主軸５が回転して接点レバー２４が動作し、リンク機構を介して連結された遮断器１００の電気的な接点２３が開放される。
【００１７】
以上説明した本実施例によれば、一つの軸受装置２によってカム軸４が片持ち支持されているので、複数個の軸受装置によって軸が支持されていた従来の操作器よりも構成部品が減り、構成が簡素化される。例えば、軸受装置を支持するブラケットが軸受装置の個数に合わせて一つとなるので、構成部品数が減り、構成が簡略化される。従って、構成部品数が減り、構成が簡略化された分、操作器を小型化することができる。例えば、構成部品が減ることにより、軸長を短くすることができるので、操作器を小型化することができる。また、一つの軸受装置３によって主軸５が片持ち支持されているので、さらに操作器を小型化することができる。さらにまた、ブラケット１の直立部１ａに対して直交するように直立部１ａから突出する突出部１ｂ，１ｃに軸受装置２，３が設けられているので、さらに操作器を小型化することができる。
【００１８】
また、本実施例によれば、軸受装置２，３の外側にカム軸４及び主軸５と一体となって回転するカム６，主ギア７，主レバー１４，緩衝レバー１５，接点レバー１６などの回転体が配置されるので、操作器の構成部品に外部から容易にアクセスすることができる。従って、操作器の保守，点検作業が行い易くなり、操作器の保守，点検の作業性を向上させることができると共に、操作器の保守，点検の作業時間を短縮することができる。
【００１９】
また、本実施例によれば、一つの軸受装置２によって支持されたカム軸４の一方側にカム６を配置すると共に、他方側に主ギア７を配置し、一つの軸受装置３によって支持された主軸５の一方側に主レバー１４を配置すると共に、他方側に緩衝レバー１５，接点レバー１６を配置し、カム軸４及び主軸５のバランスをとっているので、一つの軸受装置によって片持ち支持された軸が傾いて変形したり、一方の軸に設けられた回転体と他方の軸に設けられた回転体との接触面の一端側にギャップが生じて片当たりとなって接触面の応力が過大となる恐れなどはない。
【００２０】
【発明の効果】
以上本発明によれば、操作器の構成部品が減り、操作器の構成が簡素化されるので、操作器を小型化することができ、また、操作器を構成する各部品が軸受装置の外側に配置されるので、操作器の保守，点検の作業性を向上させることができる。
【図面の簡単な説明】
【図１】本発明の実施例である操作器の外観構成を示す斜視図である。
【図２】図１の操作機構を示す斜視図であり、軸受装置、軸受装置を支持するブラケット、ばね類を省略している。
【図３】図１のIII−III矢視断面を示す断面図である。
【図４】図１の操作器の動作図であり、遮断器の投入動作を示している。
【図５】図１の操作器の動作図であり、遮断器の開放動作を示している。
【図６】図１の操作器が適用された遮断器の外観構成を示す平面図である。
【符号の説明】
１…ブラケット、１ａ…直立部、１ｂ，１ｃ…突出部、２，３…軸受装置、４…カム軸、５…主軸、６…カム、７…主ギア、８…投入レバー、１２…投入ばねリンク、１３…投入ばね、１４…主レバー、１５…緩衝レバー、１６…接点レバー、１８…遮断ばねリンク、１９…遮断ばね、２０…緩衝リンク、２１…緩衝装置、２５…閉路操作機構、２６…開路操作機構。
【図１】
0003823676.tif 000002
【図２】
0003823676.tif 000003
【図３】
0003823676.tif 000004
【図４】
0003823676.tif 000005
【図５】
0003823676.tif 000006
【図６】
0003823676.tif 000007